(57)【特許請求の範囲】
【請求項１】
種々の音符に対応するセンサー／押しボタンを押すことを介して或いはＭＩＤＩ形式での音響信号の入力を介して音響信号を処理する制御回路を確立したケーシングを有する種類の音楽制御装置において、
装置ケーシング（１）に、五線（４）が設けられ、
それぞれの音符に
幹音（調号が設定されており、音符が調号上にある場合には、調号に合わせて変化した音となる）に対応する第一のセンサー／押しボタン（３）と、
半音低い音：フラット（調号が設定されており、音符が調号上にあるにある場合には、二重フラットまたは幹音となる）に対応する第二のセンサー／押しボタン（５）と、
半音高い音：シャープ（調号が設定されており、音符が調号上にある場合には、二重シャープ或いは幹音となる）に対応する第三のセンサー／押しボタン（６）と
の３つのセンサー／押しボタンが関連付けられて設けられ、
センサーが制御回路と関連付けられている
ことを特徴とする音楽制御装置。
【請求項２】
センサー／押しボタン（３、５、６）のそれぞれのグループに平行して、制御回路を介して前記センサー／押しボタンを押すことで作動され得る一連の光指示器（１１、１２）が設けられ、
該光指示器（１１、１２）が現在演奏中の或いはコネクタ（１３）を介してＭＩＤＩ信号の入力による前記制御回路で作動され得る音符を示している
ことを特徴とする請求項１に記載の音楽制御装置。
【請求項３】
センサー／押しボタン（３、５、６）のグループをタッチスクリーンに置き換えることができる
ことを特徴とする請求項１に記載の音楽制御装置。
【請求項４】
センサー／押しボタン（３、５、６）のグループを、ハンマーを介した鍵盤によって置き換えることができ、弦打楽器として作動する
ことを特徴とする請求項１に記載の音楽制御装置。
【請求項５】
センサー／押しボタン（３、５、６）のグループを弁に置き換えることができ、 管楽器として作動する
ことを特徴とする請求項１に記載の音楽制御装置。
【請求項６】
五線（４）の音符のそれぞれに対応して２つの光指示器が設けられ、
第一の指示器（１１）が幹音に対応し、
第二の光指示器（１２）が半音階の音符シャープ或いはフラット（或いは二重シャープ、二重フラット、幹音）に対応している
ことを特徴とする請求項１に記載の音楽制御装置。
【請求項７】
制御回路が少なくとも１つの内部スピーカー（７）に関連している
ことを特徴とする請求項１に記載の音楽制御装置。
【請求項８】
制御回路が音声出力（８）に関連している
ことを特徴とする請求項１に記載の音楽制御装置。
【請求項９】
制御回路がイアホン出力（９）に関連している
ことを特徴とする請求項１に記載の音楽制御装置。
【請求項１０】
制御回路が、
調号として機能するディスプレイ（１５）に加えて、
装置の状態を表示するディスプレイ（１０）
に関連している
ことを特徴とする請求項１に記載の音楽制御装置。
【発明の詳細な説明】
【技術分野】
【０００１】
本発明は、音楽制御装置に関し、言い換えれば、コンピュータ或いはデジタル装置にデータを取り込むのを可能にする一連のキーを搭載し、また前記コンピュータ或いはデジタル装置を介して楽器としても使用できる種類の装置に関わるものである。
【０００２】
また、それらのキーは打楽器、弦楽器、或いは管楽器を作動できる。
【０００３】
本発明の目的は、制御装置を介してシミュレートすることができ、五線の体裁を表現し、音を従来の五線上の書法に関連付けることができる広範で変化に富んだ楽器の種類の独立したインターフェイスを備える装置を提供することにある。
【背景技術】
【０００４】
コンピュータ或いはデジタル装置に接続されるように設計された数多くの制御装置は公知である。そのような装置は、それらのキーを押すことによって音を発生させることができ、特定の音を出すためには、対応する音響回路を介して前記デジタル装置で電気信号を変換させる。
【０００５】
これらの種類の制御装置は、ピアノ鍵盤、ギター、管楽器などの伝統的な楽器に類似した形態を有している、そのため、それらは複合的な楽器の音をデジタル処理で発生させるのに使用できるけれども、典型的には、単に、対応するそれらの外部形態で楽器の音を再生するためだけに使用されている。
【０００６】
この点において、前記制御装置を使用するには、音楽的な知識を要するばかりでなく、使用される特定の楽器の知識をも有する必要がある。
【０００７】
それらの装置は、五線によるインターフェイスを提供しているとはいえ、すべての可能な音調の１２の半音階の音符に接触するのを単純に押すことによって許容するものではなく、しかもそれらは複雑な構造を有し、種々の音質を得るためには同時に幾つものキーを押すことが必要である。
【発明の概要】
【発明が解決しようとする課題】
【０００８】
本発明の目的とする音楽制御装置は、五線によるインターフェイスを備え、それにより発せられる音を従来の五線上の書法に関連付けることができるよう充分に満足のいく仕方で上述の問題点を解決する。
【課題を解決するための手段】
【０００９】
従って、開示される装置は、それらの標準的な五線上の音楽書法と一致する独立した空間に、１２の半音階の音符を表しているケーシングに基づいている。
【００１０】
音符には、それぞれ３つのセンサー或いは押しボタンが割り当てられている。そのため、前記センサーは、対応する幹音或いはシャープまたはフラットの半音が押される（或いは音符が調号で変化される場合は、二重シャープまたは二重フラット、或いは幹音）のを検知して、制御回路を介して前記音符に関連する光指示器を作動させると同時に、内部音響回路を介して或いは外部音響回路に装置を接続することで前記音符に対応する音を発するように対応する電気信号を発生させる。
【００１１】
本発明のさらなる特徴によれば、かかる装置は、その制御回路に関連するＭＩＤＩ（Musical Instrument Digital Interface）入力を有し、そのため、このような種類の信号を発するコンピュータ或いはその他の類似の装置へのその接続を介して、対応する五線上で確立された対応する光指示器の照射によって、入力音響信号の音符を解析することが可能である。この装置は、リアルタイムでそれぞれの音符を解析することができ、極めて効果的な教材アプリケーションであることを意味している。
【００１２】
従って、本発明が提案する装置は、リアルタイムで、五線を介し、視覚的にも聴覚的にも音符を表現する可能性に加え、従来のキーボード或いはＭＩＤＩ楽器のすべての特徴を備えている。
【００１３】
さらに、前記センサー或いは押しボタンは、それらのすべてを１つのグループにするタッチスクリーン、或いは打弦楽器用のハンマーで押す、或いは管楽器用の弁を包括することなど同等の解決策で置き換え可能であることが注記すべきである。
【００１４】
以下に行う説明を補完するためまた本発明の特徴のより良い理解に向けての助けとなるために、本発明の実施形態の好ましい例に従って、具体的で且つ本発明の特徴を限定しない１枚の図面が添付される。
【図面の簡単な説明】
【００１５】
【図１】本発明の目的に従って作られた音楽制御装置を示す斜視図。
【発明を実施するための形態】
【００１６】
図面を参照すると、音楽制御装置はケーシング１によってどのように形成されているかが観察できる。このケーシング１は、平坦或いは円筒形または幾つかのその他の適当な形状であり、そこには、この図面には示されていないが、バッテリーを介して或いは主電源に接続されるプラグ２によって電気的に起動される制御回路が設けられている。制御回路には、３列でケーシング１上に配置されている一連のセンサー或いは押しボタンが組み込まれている。
【００１７】
第一列のセンサー３は、幹音符に対応している（或いは音符が調号上にある場合には変化される）。その目的のために、五線４はケーシング上に表現されて、五線上に成され得る可能な音符に従って、それぞれのセンサー或いは押しボタン３を確立している。
【００１８】
第二列のセンサー或いは押しボタン５は、前の列に平行して配置され、それらは半音低い音：フラット（或いは音符が調号上にある場合には、二重フラットまたは幹音）に対応している。
【００１９】
さらに、かかる装置は、センサー３に対しセンサー５の反対側に平行して配置された第三列のセンサー或いは押しボタン６を備え、これらのセンサー或いは押しボタン６は半音上げた高い音：シャープ（或いは音符が調号上にある場合には、二重シャープまたは幹音）に対応している。
【００２０】
そのため、種々の音符に対応する五線４の位置で種々の押しボタン或いはセンサー３、５、６を押すことによって、メロディーやハーモニーが制御回路を介して発せられる。このメロディーやハーモニーは、少なくとも１つの内部スピーカー７との協調によって内部音響回路を介して直接聴くことができ、或いは音響システム、コンピュータ、アンプ、或いは類似の装置に接続した対応する出力８を介して、或いは弦楽器、打楽器、管楽器として直接演奏することもできる。
【００２１】
これに関連して、装置はまたヘッドホンソケット９を備えることが提供されている。
【００２２】
上述の通り、装置は、その状況に対応するだけでなく、人が装置を使ってシミュレートしたい楽器の種類や制御回路でコーディングされてコンピュータや関連装置に送られることで、対応する音符が発信される際にそれを演奏する情報を選択するデータを表示できるディスプレイ１０を備えてもよい。
【００２３】
さらに、装置はまた、調号を介して、音楽作品の調性又は変調を決めるための別の２つのディスプレイ１５を備えてもよい。
【００２４】
補足として、光指示器１１は、それぞれのセンサー／押しボタン３と関連して、平行して設けられる。この光指示器１１は、前記押しボタンを介して作動された音符を表示し、また光指示器１２を備えて設けられている。光指示器１２は、前記光指示器１１に平行して、演奏されている音符にシャープ／フラット変更（或いは二重シャープ、二重フラット、或いは幹音が信号を発する）がある場合、照射による表示をもたらしている。
【００２５】
本発明の別の特徴によれば、制御回路は、ＭＩＤＩ信号処理手段を搭載して提供されている。このＭＩＤＩ信号処理手段のために、入力１３及び出力１４を有している。その結果、このような種類の入力ＭＩＤＩ信号によって、種々の音符がメロディーやハーモニーを構成して、五線４上に確立された種々の光指示器１１、１２を表示することができる。よって音は、従来の五線上の書法にリアルタイムで視覚的に関連付けられている。
【符号の説明】
【００２６】
１  ケーシング
２  プラグ
３、５、６  センサー／押しボタン
４  五線
７  スピーカー
８  出力
９  ヘッドホンソケット
１０、１５  ディスプレイ
１１、１２  光指示器
１３  入力
１４  出力
【図１】
0005771394.tif 000002